(57)【要約】　　　（修正有）【課題】プッシボタン式電話機に登録された相手先の短縮番号を容易に検索ができる早見表を提供する。【解決手段】早見表において、プッシュボタン式の電話機の電話番号入力用数字及び記号の配列と同一の配列で数字と記号を配列した早見表１、各数字１から０の欄に登録された短縮番号に対応する１０件の写真等からなるビジュアル情報部６と電話番号表示部７が表示できる情報表示部３を設ける。この表示部にあらかじめ上述の情報を表示しておくことで、電話をかける際にビジュアル情報と文字の情報から相手の短縮番号が容易に検索できる。さらに電話機の操作は、早見表と同一に配置された電話機の数字を押すことから、数字位置が容易に理解でき、操作が容易で誤操作が防止できる。以上よりスピーデイー且つ確実に相手先に電話をかけることができる。【選択図】　図２
2004032655.tif 000002
【特許請求の範囲】
【請求項１】
プッシュボタン式電話機のメモリーに登録している相手先の電話番号・名前のメモリーアドレス番号（短縮番号）の検索を容易にする早見表にあって、該電話機の電話番号入力用の１から０までの１０個の数字の配置と同一に数字を配列し、各数字の欄に電話機に登録された短縮番号１から０の１０件の相手に対応する情報が表示可能な情報表示部を構成し、該情報表示部に少なくとも写真等のビジュアル情報と電話番号及び文字からなる文字情報が表示できる領域を設けたもの。
【発明の詳細な説明】
【０００１】
【発明の属する技術分野】
本発明は、メモリーダイヤル機能を有する電話機の短縮番号の早見表に係り、電話機内のメモリーに登録された相手先の電話番号・名前のメモリー番号（短縮番号）を使い電話をかける際、相手先の短縮番号を容易に検索して確実に電話をかけられるようにする短縮電話番号早見表を提供するものである。
【０００２】
【従来の技術】
メモリーダイヤル機能付電話の短縮番号を使い電話をかける場合、メモリーダイヤル登録件数が複数になると覚えておくことが困難となり、登録相手を検索するのに時間を要する、記憶が曖昧で間違い電話をする等の問題がある。これを改善する一手段として実登３０５４８７６にあるように、短縮番号と相手先を一覧表にまとめ電話機に貼り付けるものや、相手名と電話番号を記載した電話メモ帳を作成して相手先の電話番号を確認している。
【０００３】
【発明が解決しようとする課題】
従来の電話番号一覧表や電話番号メモ帳では、見えにくい、相手のイメージが浮かばない、一覧表の番号と電話機の数字の配列が異なり相関が無い等の問題がある。特に中高年齢者においては、記憶力や視力の衰えから検索に時間がかかる又間違い電話をする等の課題がある。
【０００４】
【本発明の目的】
本発明は、上術の従来技術の課題をかんがみて、効果的に短縮番号の配列を行い、短縮番号に対応する相手先の情報を表示できる表示欄を備え、相手の短縮番号を容易に検索できる短縮電話番号早見表を提供することを目的とする。
【０００５】
【発明を解決するための手段】
本発明の要旨とするところは、短縮電話番号早見表において、プッシュボタン式電話の電話番号入力用の１から０までの１０個の数字と同一の配列で数字を配し、各数字の欄に短縮番号１から０までの相手先に対応する写真等のビジュアル情報と電話番号と文字からなる文字情報が表示できるよう情報表示部を構成したことを特徴とする短縮電話早見表である。
【０００６】本発明の短縮電話番号早見表は、プッシュボタン式電話機（携帯電話含む）は数字と記号の配列が統一されていることから、プッシュボタン式の電話機に共通して使用ができる。
【０００７】本発明の実施効果をあげるために、電話機の記号＊と＃については、自由に必要事項が表示できるよう自由記入欄を設けてある。
【０００８】本発明の第二実施例では、情報表示部に表示した内容が、電話機のメモリー登録内容の変更等（登録相手先の変更）があることを考慮し、情報表示部を独立したシートで構成している。これにより新たに登録された相手先に合わせ、表示内容の変更を可能にしている。
【０００９】本発明の第三の実施例では、各情報表示部に透明部材からなるホルダーを構成して、独立したシートにまとめた情報表示をホルダーに収められるようにしてある。これにより情報表示内容に変更がある際に容易に差し替えが出来る。
【００１０】
【発明実施の形態】
図１は、本発明の活用対象となる一般的なプッシュボタン式電話機の概観を示すものである。図２は、本発明である短縮電話番号早見表の一実施例の全体構成を示す図である。図３は、図２の本発明早見表に構成した情報表示部の実施例の詳細を示す図である。図４は、本発明の更なる効果を得るために活用する記号＊と＃の欄の活用事例を示す。図５は図３の情報表示部を別シートにした場合の第二の実施例を示す図である。図６は図２に示した実施例の早見表をさらに効果的活用が出来るように、情報表示部に透明なケースを設けた第三の実施例の構成を示した図である。
【００１１】
【実施例】
以下本発明の短縮電話番号早見表の実施例を図面に従い説明する。図１は本発明の活用対象となる一般的なプッシュボタン式の電話機の概観を示すもので、電話番号入力用の数字１・２・３・４・５・６・７・８・９・０と記号＊と＃が図１に示す順に配列されている。
【００１２】図２は本発明の短縮番号早見表の一実施例で、図１の電話機と同一に数字１・２・３・４・５・６・７・８・９・０と記号＊と＃が配列してある。１は早見表概観、２は早見表吊り下げ用のフック、３は各数字欄に設けられた情報表示部、４は早見表発行先の名称及び宣伝等の表示欄である。早見表１には各番号欄１から０の下にそれぞれ情報表示部３が設けてある。
【００１３】情報表示部３の表示内容をより見易く、使い易くする為には、早見表１の大きさをＡ５用紙サイズからＡ３用紙サイズの範囲が見易く効果的である。
【００１４】図３において、５は数字表示部、３は情報表示部、６は写真貼り付け部、７は電話番号記入部、８は間柄（例：息子）記載部である。本早見表の情報表示部３の写真貼り付け部６には、短縮番号相手先の人物あるいは相手のイメージが目で見てわかるビジュアル情報（写真や絵）を表示することができる。電話番号表示欄７には、文字情報として相手の電話番号が確認できるように電話番号が記載できるようになっている。さらに、相手先が確認出来るように間柄記載欄８を設けて、電話持ち主と登録相手先との間柄を記載することが出来るようになっている。
【００１５】図４において、９は記号＊の表示部、１０は自由記載（連絡事項、その他の情報）欄で、横線を入れ自由に記載ができるようにしてある。＃記号欄は＊記号欄と同様に自由に表示ができるようになっている。＊及び＃記号欄の自由記載欄１０には、情報表示部に表示できなかった短縮番号の相手先情報や常時電話使用者のメモ等を記入することで本早見表の活用幅が広がる。
【００１６】図５は図３で説明した実施例において、情報表示部３を別シート状した第二の実施例を示す。１１は情報表示シート材、１２は裏面に設けた接着剤、１３は接着保護シートである。短縮番号の相手先登録情報を変更した場合、情報表示シート１１に新たな相手の写真・電話番号・その他の情報を表示し、接着保護シート１３を剥がして、既に表示されている古い情報表示の上に重ねることで接着剤１２の作用により情報表示シート１１を目的の位置に簡単に固定できる。第二の実施例として情報表示シート材の裏面に接着剤１２を用いた例を説明したが、接着剤１２を使わないで、情報報表示シート材１１のみを作成して別の手段で早見表１の情報表示部３に表示することも本発明の範囲に含まれる。
【００１７】図６は早見表１の情報表示部を容易に差し替えが出来るようにして、本発明の短縮電話早見表が効果的に活用できる第三の実施例で、各数字欄及び記号欄の情報表示部３の部位に透明部材を用いてケース状のホルダーを構成するものである。１４は透明部材、１５はホルダー、１１は情報表示シートである。ホルダー１５は情報表示シート１１が出し入れ出来るように、透明部材１４を早見表１の情報表示部３に貼り付けて構成しても出来る。又、透明部材１４で袋状を構成して情報表示部３に貼り付けても構成できる。
【００１８】
【発明の効果】
本発明の短縮番号早見は以上のように、プッシュボタン式電話機に配置された電話番号入力用数字１から０及び記号と同一に数字及び記号を早見表に配列し、電話機に短縮登録された相手先の短縮番号の１番から０番に相当する１０件の相手先の写真、電話番号、間柄を早見表の同一数字の欄に設けた情報表示部に表示することで、大きく表示されたシート上で、電話をかけたい相手の短縮番号が写真等のビジュアル情報と数字・記号からなる文字情報とで確認でき、相手先の短縮番号をスピーデイーに選べる。又、電話機の操作に当たっては、早見表と電話機の数字の配列が同一であることから数字の配列が容易に理解でき、誤操作を防止できる。以上より本発明の短縮電話早見表を活用することで、スピーデイー且つ確実に相手に電話をかけることが出来る。
【００１９】本発明の応用効果として高齢化、核家族化が進んでいる今日においては、高齢者のみの家庭が多くなっている。　このような家庭において、本考案を実施した短縮電話番号早見表を活用することで、次の効果が期待できる。訪問者が訪問した際に一人暮らしの高齢者から相手先に電話での連絡依頼を受けた場合・緊急連絡を要する際に本発明の短縮電話番号早見表によれば、写真と電話番号及び表示項目から相手先の確かな確認が得られ、間違い無く電話連絡が出来る。（介護サービス等の緊急連絡表としても活用できる。）
【００２０】
【図面の簡単な説明】
【図１】一般的なプッシュボタン式電話の概観構成を示す図である。
【図２】本発明の短縮電話早見表の一実施例を示す図である。
【図３】本発明一実施例の情報表示部の詳細説明用図である。
【図４】本発明を効果的するの記号欄の活用説明用図である。
【図５】本発明情報表示部の第二の実施例説明用図である。
【図６】本発明第三の実施例の構成説明用図である。
【００２１】
【符号の説明】
１　短縮電話早見表概観、　　　　　２　フック
３　情報表示部、　　　　　　　　　４　発行者名称表示部
５　数字表示部、　　　　　　　　　６　写真貼り付け部
７　電話番号表示部、　　　　　　　８　間柄表示部
９　記号表示部、　　　　　　　　１０　自由活用部、
１１　情報表示シート、　　　　　　１２　接着剤
１３　接着保護シート材、　　　　　１４　透明材
１５　ホルダー
【図１】
2004032655.tif 000003
【図２】
2004032655.tif 000004
【図４】
2004032655.tif 000005
【図５】
2004032655.tif 000006
【図６】
2004032655.tif 000007
【手続補正書】
【提出日】平成14年9月17日(2002.9.17)
【手続補正１】
【補正対象書類名】図面
【補正対象項目名】全図
【補正方法】変更
【補正の内容】
【図１】
2004032655.tif 000008
【図２】
2004032655.tif 000009
【図３】
2004032655.tif 000010
【図４】
2004032655.tif 000011
【図５】
2004032655.tif 000012
【図６】
2004032655.tif 000013